(57)【要約】【課題】複数のコネクタ機能を備えることにより多機能化すると共に、コンタクトを容易に交換すること。【解決手段】カードコネクタ１は、大型記憶媒体１００を着脱自在に収容するトレイ２０と、トレイ２０をスライド自在に収納する本体部と、本体部に設けられ、本体部にトレイ２０が収納された際にトレイ２０に収容された大型記憶媒体１００の端子１０１及び端子１０２に接続するコンタクト４０と、トレイ２０に設けられ、トレイ２０の前面に露出して相手側コネクタ３００の導電部３０１と接続する端子部６１と、トレイ２０が本体部に収納された際にコンタクト７０に接続する端子部６２と、を備えたコンタクト６０と、本体部に設けられたコンタクト７０と、を有する。【選択図】図３
2018125226.tif 000002
【特許請求の範囲】
【請求項１】
カード型の記憶媒体を着脱自在に収容するトレイと、
前記トレイをスライド自在に収納する本体部と、
前記本体部に設けられ、前記本体部に前記トレイが収納された際に前記トレイに収容された前記記憶媒体の端子に接続する導電性を有する第１のコンタクトと、
を有し、
前記トレイは、
導電性を有する第２のコンタクトを有し、
前記本体部は、
導電性を有する第３のコンタクトを有し、
前記第２のコンタクトは、
前記トレイの前面に露出して相手側コネクタの導電部と接続する第１の端子部と、前記トレイが前記本体部に収納された際に前記第３のコンタクトに接続する第２の端子部と、を備える、
ことを特徴とするカードコネクタ。
【請求項２】
前記第２のコンタクトは、
接続した前記相手側コネクタの導電部を介して電源に接続する、
ことを特徴とする請求項１記載のカードコネクタ。
【請求項３】
前記第２のコンタクトは、
接続した前記相手側コネクタの導電部を介して信号を伝送する、
ことを特徴とする請求項１記載のカードコネクタ。
【請求項４】
前記第１の端子部は、
前記前面に沿って平坦であると共に前記相手側コネクタの導電部に押し当てられて接続する平坦面を備える、
ことを特徴とする請求項１から請求項３のいずれかに記載のカードコネクタ。
【請求項５】
前記第２のコンタクトは、
前記トレイが前記本体部に収容された際に前記トレイの前記本体部と対向する対向面に露出して前記第３のコンタクトに押し当てられて接続する平坦面を備える、
ことを特徴とする請求項１から請求項４のいずれかに記載のカードコネクタ。
【発明の詳細な説明】
【技術分野】
【０００１】
本発明は、カード型の記憶媒体と接続するカードコネクタに関する。
【背景技術】
【０００２】
従来、音量ボタン、ジャック、内蔵の二次電池を充電するために外部電源に接続される電源端子、及び外部記憶媒体が挿入されて接続されるカードコネクタを備えた携帯電話等の携帯端末が知られている（例えば、特許文献１）。かかる電源端子及びカードコネクタ等は、一般に、ユーザにより接続又は挿入等の操作がなされるため、携帯端末の筐体外面に露出して設けられている。
【０００３】
上記構成の携帯端末では、筐体外面にジャック及び電源端子等の端子を露出させるための孔が多数設けられているために、全体の小型化又は薄型化に伴って強度の低下を招くと共に、筐体のデザインに制約を受けることとなる。従って、従来の携帯端末に対しては、筐体の強度及び筐体のデザインの自由度を向上させる要求が高まっている。また、従来の携帯端末では、電源端子等の端子が劣化した際には、筐体を分解して劣化した端子を交換している。従って、従来の携帯端末に対しては、腐食等により劣化した部品を容易に交換可能にする要求も高まっている。
【先行技術文献】
【特許文献】
【０００４】
【特許文献１】特開２０１３−２１４６０５号公報
【発明の概要】
【発明が解決しようとする課題】
【０００５】
しかしながら、従来のカードコネクタにおいては、記憶媒体に接続する機能のみを有しているため、携帯端末に対する種々の要求に対して十分に貢献していないという課題を有する。
【０００６】
本発明の目的は、複数のコネクタ機能を備えることにより多機能化することができると共に、コンタクトを容易に交換することができるカードコネクタを提供することである。
【課題を解決するための手段】
【０００７】
本発明に係るカードコネクタは、カード型の記憶媒体を着脱自在に収容するトレイと、前記トレイをスライド自在に収納する本体部と、前記本体部に設けられ、前記本体部に前記トレイが収納された際に前記トレイに収容された前記記憶媒体の端子に接続する導電性を有する第１のコンタクトと、を有し、前記トレイは、導電性を有する第２のコンタクトを有し、前記本体部は、導電性を有する第３のコンタクトを有し、前記第２のコンタクトは、前記トレイの前面に露出して相手側コネクタの導電部と接続する第１の端子部と、前記トレイが前記本体部に収納された際に前記第３のコンタクトに接続する第２の端子部と、を備える。
【０００８】
記憶媒体を収容したトレイを本体部に収納することにより、トレイに収容された記憶媒体の端子を第１のコンタクトに接続するコネクタ機能と、相手側コネクタの導電部と第３のコンタクトとを第２のコンタクトにより接続するコネクタ機能と、を備え、トレイを交換することにより第２のコンタクトを交換可能である。
【発明の効果】
【０００９】
本発明によれば、複数のコネクタ機能を備えることにより多機能化することができると共に、コンタクトを容易に交換することができる。
【図面の簡単な説明】
【００１０】
【図１】本発明の第１の実施形態に係るカードコネクタの分解斜視図である。
【図２】本発明の第１の実施形態に係るカードコネクタの平面図である。
【図３】本発明の第１の実施形態に係るカードコネクタに大型記憶媒体を挿入した状態の一部の構成を省略した断面図である。
【図４】本発明の第１の実施形態に係るカードコネクタに小型記憶媒体を挿入した状態の一部の構成を省略した断面図である。
【図５】本発明の第１の実施形態に係る大型記憶媒体の底面図である。
【図６】本発明の第１の実施形態に係る小型記憶媒体の底面図である。
【図７】本発明の第２の実施形態に係るカードコネクタの平面図である。
【図８】本発明の第２の実施形態に係るカードコネクタに大型記憶媒体を挿入した状態の一部の構成を省略した断面図である。
【発明を実施するための形態】
【００１１】
以下、図面を適宜参照して、本発明の実施形態に係るカードコネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１２】
（第１の実施形態）
＜カードコネクタの構成＞
本発明の第１の実施形態に係るカードコネクタ１の構成につき、図１から図６を参照しながら、以下に詳細に説明する。
【００１３】
カードコネクタ１は、携帯端末等の機器に取り付けられ、ケース１０と、トレイ２０と、カバー３０と、コンタクト４０と、コンタクト５０と、コンタクト６０と、コンタクト７０と、を有している。ケース１０とカバー３０とは、トレイ２０をスライド自在に収納する本体部を構成している。
【００１４】
ケース１０は、絶縁性を有する材料により形成されており、トレイ２０をスライド自在に収納する。ケース１０は、前方開口部１１と、後方開口部１２と、トレイ収納部１３と、後壁１４と、側壁１５と、底壁１６と、係合突起１７と、ガイド部１８と、を備えている。
【００１５】
前方開口部１１は、底壁１６の前方側に設けられている。前方開口部１１は、底壁１６を上下に貫通する貫通孔である。前方開口部１１は、大型記憶媒体２００の端子２０１と同一数及び同一配置となるように設けられている。本実施形態では、前方開口部１１を左右方向に２列及び前後方向に４列設けている。
【００１６】
後方開口部１２は、底壁１６の後方側であって前方開口部１１の後方に設けられている。後方開口部１２は、底壁１６を上下に貫通する貫通孔である。
【００１７】
トレイ収納部１３は、後壁１４及び左右の側壁１５により周囲が囲まれることにより形成されている。
【００１８】
後壁１４には、前面に凹設された凹部１４１が左右に一対設けられている。
【００１９】
側壁１５は、底壁１６の左右方向の両端に立設されており、ケース１０の前端から後壁１４まで前後方向に沿って延設されている。
【００２０】
底壁１６は、トレイ収納部１３の下方を塞いでいる。
【００２１】
係合突起１７は、左右の側壁１５の外壁面から外部側方に突出して設けられている。
【００２２】
ガイド部１８は、左右の側壁１５の内壁面からトレイ収納部１３に各々突出して設けられている。ガイド部１８の上面は、前後方向に沿って平坦になっている。左右のガイド部１８の間隔は、トレイ２０の左右方向の幅よりも小さい。
【００２３】
トレイ２０は、絶縁性を有する材料により形成されており、カード型の記憶媒体である図５に示す大型記憶媒体１００又は図６に示す小型記憶媒体２００を着脱自在に収容する。トレイ２０は、ケース１０のトレイ収納部１３に対して後方にスライドして収納され、トレイ収納部１３から前方にスライドして取り出される。トレイ２０は、接続部２１と、挿入部２２と、を備えている。
【００２４】
接続部２１は、トレイ２０がトレイ収納部１３に収納された際に、トレイ収納部１３に収納されずにケース１０から前方に突出する。接続部２１の前面は、カードコネクタ１が取り付けられる機器の筐体の外部表面に露出する。接続部２１には、接続部２１の前面に露出する磁石２１１が設けられている。磁石２１１は、相手側コネクタ３００に設けられている磁石３０２の極性と逆極性になっている。
【００２５】
挿入部２２は、接続部２１の後方に接続部２１と一体に設けられている。挿入部２２は、記憶媒体挿入凹部２２１と、記憶媒体挿入凹部２２２と、露出孔２２３と、係合凹部２２４と、を備えている。
【００２６】
記憶媒体挿入凹部２２１は、端子１０１及び端子１０２を下方に向けて挿入される大型記憶媒体１００と互いに相補形状になっている。記憶媒体挿入凹部２２１の一部は、記憶媒体挿入凹部２２２の一部を構成している。
【００２７】
記憶媒体挿入凹部２２２は、端子２０１を下方に向けて挿入される小型記憶媒体２００と互いに相補形状になっている。記憶媒体挿入凹部２２２の一部は、記憶媒体挿入凹部２２１の一部を構成している。
【００２８】
露出孔２２３は、記憶媒体挿入凹部２２１及び記憶媒体挿入凹部２２２に設けられていると共に、挿入部２２の板厚方向（上下方向）に貫通する貫通孔であり、記憶媒体挿入凹部２２１に収容された大型記憶媒体１００の端子１０１及び端子１０２、又は記憶媒体挿入凹部２２２に収容された小型記憶媒体２００の端子２０１を下方に露出させる。
【００２９】
カバー３０は、前方から見てコ字状となるように金属板材を折り曲げ加工して形成されており、コンタクト４０、コンタクト５０及びコンタクト７０と絶縁された状態でケース１０に取り付けられている。カバー３０は、窓孔３１と、ロック部３２と、係合凹部３３と、を備えている。
【００３０】
窓孔３１は、ロック部３２を形成するために金属板材を板厚方向に打ち抜くことにより形成された貫通孔であり、前後方向に沿って延設されていると共に左右に一対設けられている。
【００３１】
ロック部３２は、金属板材を打ち抜いて下方に折り曲げ加工して形成され、後方に延設されていると共に、窓孔３１から外部に露出している。ロック部３２には、前後方向の中央において内方に突出してトレイ収納部１３に位置するロック凸部３２２が形成されている。
【００３２】
係合凹部３３は、カバー３０の左右方向の両端の折り曲げられた部分に形成されていると共に、カバー３０の板厚方向に貫通する貫通孔である。係合凹部３３は、係合突起１７に係合してケース１０にカバー３０を固定する。
【００３３】
コンタクト４０は、導電性を有する材料により形成されており、ケース１０と一体成型等することによりケース１０に複数設けられている。コンタクト４０は、接続部４１と、端子部４２と、を備えている。
【００３４】
接続部４１は、後方開口部１２から上方に突出すると共に上下方向に弾性変形して可動可能であり、トレイ２０がトレイ収納部１３に収納された際に、露出孔２２３より露出する大型記憶媒体１００の端子１０１及び端子１０２に圧接する。
【００３５】
端子部４２は、後壁１４から後方に突出しており、カードコネクタ１が実装される図示しない基板の導電部に接続する。
【００３６】
コンタクト５０は、導電性を有する材料により形成されており、ケース１０と一体成型等することによりケース１０に複数設けられている。コンタクト５０は、接続部５１と、端子部５２と、を備えている。
【００３７】
接続部５１は、前方開口部１１の各々から上方に突出すると共に上下方向に弾性変形して可動可能であり、露出孔２２３より露出する小型記憶媒体２００の端子２０１に圧接する。
【００３８】
端子部５２は、後壁１４から後方に突出しており、カードコネクタ１が実装される図示しない基板の導電部に接続する。
【００３９】
コンタクト６０は、導電性を有する材料により形成されており、トレイ２０と一体成型又はトレイ２０に印刷等することによりトレイ２０に一対設けられている。コンタクト６０は、端子部６１と、端子部６２と、接続部６３と、を備えている。
【００４０】
端子部６１は、トレイ２０の接続部２１の前面に露出している。端子部６１は、前面に沿って平坦であると共に相手側コネクタ３００の導電部３０１に押し当てられて接続する平坦面６１ａを備えている。ここで、端子部６１は、前方から視認可能な状態で接続部２１の前面に露出していれば、必ずしも接続部２１の前端面に露出していなくてもよい。例えば、接続部２１の前面が凹凸を有する形状の場合には、端子部６１は前面の凸部に露出していてもよいし前面の凹部に露出していてもよい。また、接続部２１の前面の上下方向の両端または、いずれか一方が後方に向かって傾斜する傾斜面である場合には、端子部６１はこの傾斜面に露出していてもよい。
【００４１】
端子部６２は、トレイ２０をトレイ収納部１３に収納した際にケース１０と対向する対向面である挿入部２２の後端面２３に露出している。端子部６２は、挿入部２２の後端面２３に沿って平坦であると共に、トレイ２０がトレイ収納部１３に収納された際に、コンタクト７０の接続部７１に押し当てられて接続する平坦面６２ａを備えている。
【００４２】
接続部６３は、トレイ２０の露出孔２２３の左右側方に設けられると共に、端子部６１と端子部６２とを接続している。接続部６３は、図３に示すように、トレイ２０の底面に露出している。なお、接続部６３は、トレイ２０の底面に露出する構成に限らず、トレイ２０の側面若しくは上面に露出する構成、又はトレイ２０の外面に露出しないようにトレイ２０に設けられる構成であってもよい。
【００４３】
コンタクト７０は、導電性を有する材料により形成されており、ケース１０と一体成型等することによりケース１０の後壁１４に一対設けられている。コンタクト７０は、凹部１４１から前方に突出してトレイ収納部１３に位置する接続部７１と、後壁１４から後方に突出してカードコネクタ１が実装される図示しない基板の導電部に接続する端子部７２と、を備えている。
【００４４】
＜カードコネクタの動作＞
本発明の第１の実施形態に係るカードコネクタ１の動作につき、以下に詳細に説明する。
【００４５】
最初に、カードコネクタ１に大型記憶媒体１００を挿入及び接続する際のカードコネクタ１の動作について説明する。
【００４６】
まず、ケース１０のトレイ収納部１３からトレイ２０を前方に引き出して、トレイ２０の記憶媒体挿入凹部２２１を外部に露出させる。
【００４７】
次に、記憶媒体挿入凹部２２１に大型記憶媒体１００を上方から挿入して装着する。この際、記憶媒体挿入凹部２２１は大型記憶媒体１００の形状と相補形状となるように形成されているため、記憶媒体挿入凹部２２１に大型記憶媒体１００をガタツキなく確実に装着することができる。
【００４８】
次に、トレイ２０を後方に押圧して移動させることにより、ケース１０のトレイ収納部１３にトレイ２０を収納する。
【００４９】
トレイ２０は、後方に移動することによりカバー３０のロック部３２のロック凸部３２２を左右外方に押圧してロック部３２を左右外方に弾性変形させる。そして、トレイ２０の係合凹部２２４は、ロック凸部３２２の位置に到達した際にロック凸部３２２に係合する。これにより、トレイ２０は、トレイ収納部１３から前方への移動が規制されてトレイ収納部１３に収納された状態を維持する。
【００５０】
また、記憶媒体挿入凹部２２１に装着された大型記憶媒体１００は、トレイ２０の後方への移動に伴ってコンタクト４０の接続部４１を下方に押圧して接続部４１を下方に弾性変形させる。そして、記憶媒体挿入凹部２２１に装着された大型記憶媒体１００の端子１０１及び端子１０２は、トレイ２０の後方への移動に伴って接続部４１の位置に到達した際に接続部４１に圧接する。なお、この際、大型記憶媒体１００は、カバー３０により上方への移動を規制される。
【００５１】
更に、コンタクト６０の接続部６２は、トレイ２０の後方への移動に伴ってコンタクト７０の接続部７１に押し当てられると共に接続部７１を後方に弾性変形させる。そして、係合凹部２２４とロック凸部３２２とが係合した際に、接続部６２は所定の押圧力で接続部７１に圧接する。
【００５２】
コンタクト６０の端子部６１に平坦面６１ａを設けると共に端子部６２に平坦面６２ａを設けることにより、トレイ２０をトレイ収納部１３に収納する過程において、端子部６１及び端子部６２がケース１０又はカバー３０に引っ掛かる等により破損又は変形することを防ぐことができる。
【００５３】
この状態において、大型記憶媒体１００に記憶されている情報は、端子１０１、端子１０２、コンタクト４０及びカードコネクタ１が実装されている基板の導電部を介してこの基板を収容している携帯端末に内蔵されているＣＰＵ等の制御装置に伝送される。または、制御装置から出力される情報は、カードコネクタ１が実装されている基板の導電部、コンタクト４０及び端子１０１、１０２を介して大型記憶媒体１００に書き込まれる。
【００５４】
カードコネクタ１から大型記憶媒体１００を取り出す際には、ロック部３２の弾性力に抗してトレイ２０を前方に引っ張ることによりロック凸部３２２と係合凹部２２４との係合が解除されて、トレイ２０がトレイ収納部１３から前方に取り出される。
【００５５】
また、記憶媒体挿入凹部２２１に装着された大型記憶媒体１００の端子１０１及び端子１０２は、トレイ２０の前方への移動に伴って接続部４１との接続が解除される。そして、記憶媒体挿入凹部２２１に装着された大型記憶媒体１００は、トレイ２０の前方への移動に伴ってコンタクト４０の接続部４１に対する押圧を解除する。これにより、接続部４１は、コンタクト４０の弾性復帰力により上方に復帰する。
【００５６】
更に、コンタクト６０の接続部６２は、トレイ２０の前方への移動に伴って接続部７１に対する押圧を解除する。これにより、接続部７１は、コンタクト７０の弾性復帰力により前方に復帰する。
【００５７】
そして、記憶媒体挿入凹部２２１が外部に露出するまでトレイ２０を前方に引き出すことにより、記憶媒体挿入凹部２２１に収容されている大型記憶媒体１００を取り出すことが可能になる。
【００５８】
次に、カードコネクタ１に小型記憶媒体２００を挿入及び接続する際のカードコネクタ１の動作について説明する。
【００５９】
まず、ケース１０のトレイ収納部１３からトレイ２０を前方に引き出して、トレイ２０の記憶媒体挿入凹部２２２を外部に露出させる。
【００６０】
次に、記憶媒体挿入凹部２２２に小型記憶媒体２００を上方から挿入して装着する。この際、記憶媒体挿入凹部２２２は小型記憶媒体２００の形状と相補形状となるように形成されているため、記憶媒体挿入凹部２２２に小型記憶媒体２００をガタツキなく確実に装着することができる。
【００６１】
次に、トレイ２０を後方に押圧して移動させることによりケース１０のトレイ収納部１３に収納する。
【００６２】
トレイ２０は、後方に移動することによりカバー３０のロック部３２のロック凸部３２２を左右外方に押圧してロック部３２を左右外方に弾性変形させる。そして、トレイ２０の係合凹部２２４は、ロック凸部３２２の位置に到達した際にロック凸部３２２に係合する。これにより、トレイ２０は、トレイ収納部１３から前方への移動が規制されてトレイ収納部１３に収納された状態を維持する。
【００６３】
また、記憶媒体挿入凹部２２２に装着された小型記憶媒体２００は、トレイ２０の後方への移動に伴ってコンタクト５０の接続部５１を下方に押圧して接続部５１を下方に弾性変形させる。そして、記憶媒体挿入凹部２２２に装着された小型記憶媒体２００の端子２０１は、トレイ２０の後方への移動に伴って接続部５１の位置に到達した際に接続部５１に圧接する。なお、この際、小型記憶媒体２００は、カバー３０により上方への移動を規制される。
【００６４】
更に、コンタクト６０の接続部６２は、トレイ２０の後方への移動に伴ってコンタクト７０の接続部７１に押し当てられると共に接続部７１を後方に弾性変形させる。そして、係合凹部２２４とロック凸部３２２とが係合した際に、接続部６２は所定の押圧力で接続部７１に当接する。
【００６５】
この状態において、小型記憶媒体２００に記憶されている情報は、端子２０１、コンタクト５０、カードコネクタ１が実装されている基板の導電部及びこの基板を収容している携帯端末に内蔵されているＣＰＵ等の制御装置に伝送される。または、制御装置から出力される情報は、カードコネクタ１が実装されている基板の導電部、コンタクト５０及び端子２０１を介して小型記憶媒体２００に書き込まれる。
【００６６】
カードコネクタ１から小型記憶媒体２００を取り出す際には、ロック部３２の弾性力に抗してトレイ２０を前方に引っ張ることにより、ロック凸部３２２と係合凹部２２４との係合が解除されてトレイ２０がトレイ収納部１３から前方に取り出される。
【００６７】
また、記憶媒体挿入凹部２２２に装着された小型記憶媒体２００は、トレイ２０の前方への移動に伴ってコンタクト５０の接続部５１に対する押圧を解除し、接続部５１は自身の弾性復帰力により上方に復帰する。そして、記憶媒体挿入凹部２２２に装着された小型記憶媒体２００の端子２０１は、トレイ２０の前方への移動に伴って接続部５１との接続が解除される。
【００６８】
更に、コンタクト６０の接続部６２は、トレイ２０の前方への移動に伴って接続部７１に対する押圧を解除する。これにより、接続部７１は、コンタクト７０の弾性復帰力により前方に復帰する。
【００６９】
そして、記憶媒体挿入凹部２２２が外部に露出するまでトレイ２０を前方に引き出すことにより、記憶媒体挿入凹部２２２に収容されている小型記憶媒体２００を取り出すことが可能になる。
【００７０】
ここで、大型記憶媒体１００又は小型記憶媒体２００を収容したトレイ２０がトレイ収納部１３に収納されている状態において、トレイ２０の接続部２１に対して、図示しない電源に接続されている相手側コネクタ３００を前方から近づけることにより、接続部２１の磁石２１１と相手側コネクタ３００の磁石３０２とが磁力により接続し、これに伴ってコンタクト６０の接続部６１に相手側コネクタ３００の導電部３０１が押し当てられて接続部６１と導電部３０１とが接続する。なお、導電部３０１は、図示を省略するが後方に向けて所定の付勢力で付勢されていると共に前方に移動可能であり、接続部６１に押し当てられた際に前方に移動して所定の押圧力で接続部６１に接続する。
【００７１】
トレイ２０と相手側コネクタ３００とを磁力により接続するため、トレイ２０と相手側コネクタ３００とを容易に接続することができると共に、トレイ２０と相手側コネクタ２００とを嵌合するための凹凸を接続部２１の前面に設けることを不要にすることができる。また、相手側コネクタ３００の導電部３０１に押し当てられて接続する平坦面６１ａを設けることにより、カードコネクタ１を取り付ける携帯端末の筐体の外部表面に露出する接続部６１を、凹凸の無い形状にすることができる。
【００７２】
この状態において、一対のコンタクト６０の一方が一対の導電部３０１の一方を介して外部電源の＋極に接続し、一対のコンタクト６０の他方が一対の導電部３０１の他方を介して外部電源の−極に接続する。そして、外部電源から、相手側コネクタ３００の導電部３０１、コンタクト６０、コンタクト７０及びカードコネクタ１が実装されている基板の導電部を介して、携帯端末に内蔵されている二次電池に電力が供給される。これにより、大型記憶媒体１００の端子１０１及び端子１０２、又は小型記憶媒体２００の端子２０１をカードコネクタ１に挿入及び接続する際に、並行して外部電源と携帯端末の二次電池とを接続することができる。
【００７３】
接続部６１と導電部３０１との接続を解除する場合には、磁石３０２と磁石２１１との互いに引き合う磁力に抗して相手側コネクタ３００を前方に引っ張ることにより、導電部３０１と接続部６１との接続が解除される。これにより、外部電源から携帯端末に内蔵されている二次電池に対する電力の供給が停止する。
【００７４】
コンタクト６０が腐食等して劣化した場合には、トレイ２０を交換することにより新たなコンタクト６０に交換することができ、専門知識を有さないユーザ自身によりコンタクト６０を容易に交換することができる。また、電源端子を外部に露出させるために携帯端末の筐体に形成する孔を、カードコネクタ１を携帯端末に設けるために携帯端末の筐体に形成する孔と共用することができる。更に、電源端子であるコンタクト６０をカードコネクタ１に集約することができるため、基板の占有面積を削減することができると共に、カードコネクタ１を自動実装する基板に対するコンタクト４０及びコンタクト５０の半田付け作業と並行して、カードコネクタ１を自動実装する基板に対するコンタクト７０の半田付け作業を行うことができ、容易に製造することができると共に製造コストの上昇を抑制することができる。
【００７５】
このように、本実施形態によれば、トレイ２０にコンタクト６０を設けると共にケース１０にコンタクト７０を設け、コンタクト６０は、トレイ２０の前面に露出して相手側コネクタ３００の導電部３０１と接続する端子部６１と、トレイ２０が本体部に収容された際にコンタクト７０に接続する端子部６２と、を備えることにより、複数のコネクタ機能を備えるため、取り付け対象機器の筐体の強度及びデザイン性を向上させることができると共に、容易に交換することができる。
【００７６】
また、本実施形態によれば、コンタクト４０、コンタクト５０及びコンタクト７０をケース１０との一体成型等によりケース１０に一括で設けることができるため、容易に製造することができると共に製造コストの上昇を抑制することができる。
【００７７】
なお、本実施形態において、トレイ２０の挿入部２２の後端面２３にコンタクト６０の端子部６２を露出させたが、トレイ２０の挿入部２２の左右側面にコンタクト６０の端子部６２を露出させてもよい。この場合には、ケース１０の左右の側壁１５の内壁面にコンタクト７０の接続部７１を露出させ、左右側壁１５の内壁面に露出した接続部７１とトレイ２０の挿入部２２の左右側面に露出した端子部６２とを接続するようにする。
【００７８】
また、本実施形態において、カードコネクタ１に大型記憶媒体１００又は小型記憶媒体２００を接続したが、カードコネクタを大型記憶媒体１００及び小型記憶媒体２００以外のカード型の記憶媒体が接続される構成にしてもよい。
【００７９】
また、本実施形態において、ケース１０とカバー３０とにより本体部を構成したが、ケース１０とカバー３０とを一体化した１つの部材により本体部を構成してもよい。
【００８０】
また、本実施形態において、大型記憶媒体１００と小型記憶媒体２００との両方をトレイ２０に収容可能にしたが、大型記憶媒体１００及び小型記憶媒体２００の何れか一方のみをトレイ２０に収容可能にしてもよい。
【００８１】
また、本実施形態において、カバー３０に設けたロック部３２によりトレイ２０の前方への移動を規制したが、ロック部３２以外のトレイの前方への移動を規制するイジェクト機構等の他の構成を用いてもよい。
【００８２】
また、本実施形態において、磁石２１１と磁石３０２との磁力により接続部２１と相手側コネクタ３００とを接続したが、接続部２１と相手側コネクタ３００とを嵌合して接続するようにしてもよい。この場合であっても、カードコネクタ１に電源端子であるコンタクト６０及びコンタクト７０を設けることにより、電源端子を外部に露出させるために携帯端末の筐体に形成する孔を削減することができる。
【００８３】
また、本実施形態において、端子部６１と接続する相手側コネクタ３００の導電部３０１が前後方向に弾性変形可能な構成にしたが、端子部６１が前後方向に弾性変形可能な構成にしてもよい。
【００８４】
（第２の実施形態）
＜カードコネクタの構成＞
本発明の実施形態に係るカードコネクタ２の構成につき、図７及び図８を参照しながら、以下に詳細に説明する。
【００８５】
なお、図７及び図８において、図１から図６と同一構成である部分については同一符号を付して、その説明を省略する。
【００８６】
カードコネクタ２は、携帯端末等の機器に取り付けられ、カバー３０と、コンタクト４０と、コンタクト５０と、ケース１１０と、トレイ１２０と、コンタクト１６０と、コンタクト１７０と、を有している。
【００８７】
ケース１１０は、絶縁性を有する材料により形成されており、トレイ１２０をスライド自在に収納する。具体的には、ケース１１０は、前方開口部１１と、後方開口部１２と、トレイ収納部１３と、側壁１５と、底壁１６と、係合突起１７と、ガイド部１８と、後壁１１４と、を備えている。
【００８８】
トレイ収納部１３は、後壁１１４及び左右の側壁１５により周囲が囲まれることにより形成されている。
【００８９】
ガイド部１８は、左右の側壁１５の内壁面からトレイ収納部１３に各々突出して設けられ、前後方向に沿って平坦になっている。左右のガイド部１８の間隔は、トレイ１２０の左右方向の幅よりも小さい。
【００９０】
後壁１１４には、前面に凹設された凹部１１４１が左右に一対設けられている。
【００９１】
側壁１５は、ケース１１０の前端から後壁１１４まで前後方向に沿って延設されている。
【００９２】
トレイ１２０は、ケース１１０のトレイ収納部１３に対して後方にスライドして収納され、トレイ収納部１３から前方にスライドして取り出される。
【００９３】
トレイ１２０は、絶縁性を有する材料により形成されており、大型記憶媒体１００又は小型記憶媒体２００を着脱自在に収容する。トレイ１２０は、ケース１１０のトレイ収納部１３に対して後方にスライドして収納され、トレイ収納部１３から前方にスライドして取り出される。具体的には、トレイ１２０は、挿入部２２と、接続部１２１と、を備えている。
【００９４】
接続部１２１は、トレイ１２０がトレイ収納部１３に収納された際に、トレイ収納部１３に収納されずにケース１１０から前方に突出する。接続部１２１の前面は、カードコネクタ２が取り付けられる機器の筐体の外部表面に露出する。接続部１２１には、接続部１２１の前面に露出する磁石１２１１が設けられている。磁石１２１１は、相手側コネクタ４００に設けられている磁石４０２の極性と逆極性になっている。
【００９５】
挿入部２２は、接続部１２１の後方に接続部１２１と一体に設けられている。
【００９６】
コンタクト４０は、導電性を有する材料により形成されており、ケース１１０との一体成型等によりケース１１０に複数設けられている。コンタクト４０は、接続部４１と、端子部４２と、を備えている。
【００９７】
端子部４２は、後壁１１４から後方に突出しており、カードコネクタ２が実装される図示しない基板の導電部に接続する。
【００９８】
コンタクト５０は、導電性を有する材料により形成されており、ケース１１０との一体成型等によりケース１１０に複数設けられている。コンタクト５０は、接続部５１と、端子部５２と、を備えている。
【００９９】
端子部５２は、後壁１１４から後方に突出しており、カードコネクタ２が実装される図示しない基板の導電部に接続する。
【０１００】
コンタクト１６０は、導電性を有する材料により形成されており、トレイ１２０と一体成型又はトレイ１２０に印刷等することによりトレイ１２０に複数設けられている。具体的には、コンタクト１６０は、端子部１６１と、端子部１６２と、接続部１６３と、を備えている。
【０１０１】
端子部１６１は、トレイ１２０の接続部１２１の前面に露出している。端子部１６１は、前面に沿って平坦であると共に相手側コネクタ４００の導電部４０１に押し当てられて接続する平坦面１６１ａを備えている。ここで、端子部１６１は、前方から視認可能な状態で接続部１２１の前面に露出していれば、必ずしも接続部１２１の前端面に露出していなくてもよい。例えば、接続部１２１の前面が凹凸を有する形状の場合には、端子部１６１は前面の凸部に露出していてもよいし前面の凹部に露出していてもよい。また、接続部１２１の前面の上下方向の両端または、いずれか一方が後方に向かって傾斜する傾斜面である場合には、端子部１６１はこの傾斜面に露出していてもよい。
【０１０２】
端子部１６２は、トレイ１２０をトレイ収納部１３に収納した際にケース１１０と対向する対向面である挿入部２２の後端面２３に露出している。端子部１６２は、挿入部２２の後端面２３に沿って平坦であると共に、トレイ１２０がトレイ収納部１３に収納された際に、コンタクト１７０の接続部１７１に押し当てられて接続する平坦面１６２ａを備えている。
【０１０３】
接続部１６３は、トレイ１２０の露出孔２２３の左右側方に設けられると共に、端子部１６１と端子部１６２とを接続している。接続部１６３は、図８に示すように、トレイ１２０の底面に露出してトレイ１２０に設けられている。なお、接続部１６３は、トレイ１２０の底面に露出する構成に限らず、トレイ１２０の側面若しくは上面に露出する構成、又はトレイ１２０の外面に露出しないようにトレイ１２０に設けられる構成であってもよい。
【０１０４】
なお、コンタクト１６０の数は必要に応じて任意にすることができる。
【０１０５】
コンタクト１７０は、導電性を有する材料により形成されており、ケース１１０と一体成型等することによりケース１１０の後壁１１４に設けられている。コンタクト１７０は、コンタクト１６０と同一数設けられている。具体的には、コンタクト１７０は、凹部１１４１から前方に突出してトレイ収納部１３に位置する接続部１７１と、後壁１１４から後方に突出してカードコネクタ２が実装される図示しない基板の導電部に接続する端子部１７２と、を備えている。
【０１０６】
＜カードコネクタの動作＞
本発明の第２の実施形態に係るカードコネクタ２の動作につき、以下に詳細に説明する。
【０１０７】
カードコネクタ２に大型記憶媒体１００又は小型記憶媒体２００を挿入及び接続する際において、コンタクト１６０の接続部１６２は、トレイ１２０の後方への移動に伴ってコンタクト１７０の接続部１７１に押し当てられると共に接続部１７１を後方に弾性変形させる。そして、係合凹部２２４とロック凸部３２２とが係合した際に、接続部１６２は所定の押圧力で接続部１７１に圧接する。
【０１０８】
カードコネクタ２から大型記憶媒体１００又は小型記憶媒体２００を取り出す際において、コンタクト１６０の接続部１６２は、トレイ１２０の前方への移動に伴って接続部１７１に対する押圧を解除する。これにより、接続部１７１は、コンタクト１７０の弾性復帰力により前方に復帰する。
【０１０９】
コンタクト１６０の端子部１６１に平坦面１６１ａを設けると共に端子部１６２に平坦面１６２ａを設けることにより、トレイ１２０をトレイ収納部１３に収納する過程において、端子部１６１及び端子部１６２がケース１１０又はカバー３０に引っ掛かる等により破損又は変形することを防ぐことができる。
【０１１０】
ここで、大型記憶媒体１００又は小型記憶媒体２００を収容したトレイ１２０がトレイ収納部１３に収納されている状態において、トレイ１２０の接続部１２１に対して、相手側コネクタ４００を前方から近づけることにより、接続部１２１の磁石１２１１と相手側コネクタ４００の磁石４０２とが磁力により接続し、これに伴ってコンタクト１６０の接続部１６１に相手側コネクタ４００の導電部４０１が押し当てられることにより接続部１６１と導電部４０１とが接続する。なお、導電部４０１は、図示を省略しているが後方に向けて所定の付勢力で付勢されていると共に前方に移動可能であり、接続部１６１に押し当てられた際に前方に移動して所定の押圧力で接続部１６１に圧接する。
【０１１１】
トレイ１２０と相手側コネクタ４００とを磁力により接続するため、トレイ１２０と相手側コネクタ４００とを容易に接続することができると共に、トレイ１２０と相手側コネクタ４００とを嵌合するための凹凸を接続部１２１の外部表面に設けることを不要にすることができる。また、相手側コネクタ４００の導電部４０１に押し当てられて接続する平坦面１６１ａを設けることにより、カードコネクタ２を取り付ける携帯端末の筐体の外部表面に露出する接続部１６１を、凹凸の無い形状にすることができる。
【０１１２】
この状態において、パーソナルコンピュータ等の外部接続機器から、相手側コネクタ４００の導電部４０１、コンタクト１６０、コンタクト１７０及びカードコネクタ２が実装されている基板の導電部を介して、携帯端末に内蔵されているＣＰＵ等の制御装置に信号が伝送される。または、制御装置から出力される信号は、カードコネクタ２が実装されている基板の導電部、コンタクト１７０、コンタクト１６０及び相手側コネクタ４００の導電部４０１を介して外部接続機器に伝送される。これにより、大型記憶媒体１００の端子１０１及び端子１０２、又は小型記憶媒体２００の端子２０１をカードコネクタ２に挿入及び接続する際に、並行して外部接続機器と携帯端末の制御装置とを接続することができる。
【０１１３】
接続部１６１と導電部４０１との接続を解除する場合には、磁石４０２と磁石１２１１との互いに引き合う磁力に抗して相手側コネクタ４００を前方に引っ張ることにより、導電部４０１と接続部１６１との接続が解除される。これにより、外部接続機器から携帯端末に内蔵されている制御装置に対する信号の伝送、又は携帯端末に内蔵されている制御装置から外部接続機器に対する信号の伝送が停止する。
【０１１４】
コンタクト１６０が腐食等して劣化した場合には、トレイ１２０を交換することにより新たなコンタクト１６０に交換することができ、専門知識を有さないユーザ自身によりコンタクト１６０を容易に交換することができる。また、信号端子を外部に露出させるために携帯端末の筐体に形成する孔を、カードコネクタ１を携帯端末に設けるために携帯端末の筐体に形成する孔と共用することができる。更に、信号端子であるコンタクト１６０をカードコネクタ２に集約することができるため、基板の占有面積を削減することができると共に、カードコネクタ２を自動実装する基板に対するコンタクト４０及びコンタクト５０の半田付け作業と並行して、カードコネクタ２を自動実装する基板に対するコンタクト１７０の半田付け作業を行うことができ、容易に製造することができると共に製造コストの上昇を抑制することができる。
【０１１５】
なお、本実施形態における上記以外の動作はカードコネクタ１の動作と同一動作であるので、その説明を省略する。
【０１１６】
このように、本実施形態によれば、上記第１の実施形態の効果に加えて、コンタクト１６０により相手側コネクタ４００の導電部４０１に接続して信号を伝送することにより、コンタクト４０又はコンタクト５０を用いた大型記憶媒体１００の端子１０１及び端子１０２又は小型記憶媒体２００の端子２０１と接続するコネクタ機能と、コンタクト１６０を用いた相手側コネクタ４００の導電部４０１と接続するコネクタ機能と、の複数のコネクタ機能をカードコネクタ２に集約することができる。
【０１１７】
なお、本実施形態において、トレイ１２０の挿入部２２の後端面２３にコンタクト１６０の端子部１６２を露出させたが、トレイ１２０の挿入部２２の左右側面にコンタクトの端子部を露出させてもよい。この場合には、ケース１１０の左右の側壁１５の内壁面にコンタクトの接続部を露出させ、左右側壁１５の内壁面に露出した接続部とトレイ２０の挿入部２２の左右側面に露出した端子部とを接続するようにする。
【０１１８】
また、本実施形態において、カードコネクタ２に大型記憶媒体１００又は小型記憶媒体２００を接続したが、カードコネクタを大型記憶媒体１００及び小型記憶媒体２００以外のカード型の記憶媒体が接続される構成にしてもよい。
【０１１９】
また、本実施形態において、ケース１１０とカバー３０とにより本体部を構成したが、ケース１１０とカバー３０とを一体化した１つの部材により本体部を構成してもよい。
【０１２０】
また、本実施形態において、大型記憶媒体１００と小型記憶媒体２００との両方をトレイ１２０に収容可能にしたが、大型記憶媒体１００及び小型記憶媒体２００の何れか一方のみをトレイ１２０に収容可能にしてもよい。
【０１２１】
また、本実施形態において、カバー３０に設けたロック部３２によりトレイ１２０の前方への移動を規制したが、ロック部３２以外のトレイの前方への移動を規制するイジェクト機構等の他の構成を用いてもよい。
【０１２２】
また、本実施形態において、磁石１２１１と磁石４０２との磁力により接続部１２１と相手側コネクタ４００とを接続したが、接続部１２１と相手側コネクタ４００とを嵌合して接続するようにしてもよい。この場合であっても、カードコネクタ２に電源端子であるコンタクト１６０及びコンタクト１７０を設けることにより、電源端子を外部に露出させるために携帯端末の筐体に形成する孔を削減することができる。
【０１２３】
また、本実施形態において、端子部１６１と接続する相手側コネクタ４００の導電部４０１が前後方向に弾性変形可能な構成にしたが、端子部１６１が前後方向に弾性変形可能な構成にしてもよい。
【０１２４】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【０１２５】
本発明に係るカードコネクタは、カード型の記憶媒体と接続するのに好適である。
【符号の説明】
【０１２６】
１  カードコネクタ
２  カードコネクタ
１０  ケース
１１  前方開口部
１２  後方開口部
１３  トレイ収納部
１４  後壁
１５  側壁
１６  底壁
１７  係合突起
１８  ガイド部
２０  トレイ
２１  接続部
２２  挿入部
２３  後端面
３０  カバー
３１  窓孔
３２  ロック部
３３  係合凹部
４０  コンタクト
４１  接続部
４２  端子部
５０  コンタクト
５１  接続部
５２  端子部
６０  コンタクト
６１  端子部
６１ａ  平坦面
６２  端子部
６２ａ  平坦面
６３  接続部
７０  コンタクト
７１  接続部
７２  端子部
１００  大型記憶媒体
１０１  端子
１０２  端子
１２０  トレイ
１２１  接続部
１３１  押圧部
１３２  係合部
１４１  凹部
１６０  コンタクト
１６１  端子部
１６１ａ  平坦面
１６２  端子部
１６２ａ  平坦面
１６３  接続部
１７０  コンタクト
１７１  接続部
１７２  端子部
２００  小型記憶媒体
２０１  端子
２１１  磁石
２２１  記憶媒体挿入凹部
２２２  記憶媒体挿入凹部
２２３  露出孔
２２４  係合凹部
３００  相手側コネクタ
３０１  導電部
３０２  磁石
３２２  ロック凸部
４００  相手側コネクタ
４０１  導電部
４０２  磁石
４４１  切欠部
１１４１  凹部
１２１１  磁石
【図１】
2018125226.tif 000003
【図２】
2018125226.tif 000004
【図３】
2018125226.tif 000005
【図４】
2018125226.tif 000006
【図５】
2018125226.tif 000007
【図６】
2018125226.tif 000008
【図７】
2018125226.tif 000009
【図８】
2018125226.tif 000010